(57)【要約】【課題】容易に自動製造に適するように効率的に、バッグ側面及びバッグ底面にひだが付いている再閉鎖可能な包装物を形成する方法を提供する。【解決手段】第一キャリアウェブ及び第二キャリアウェブにキャリアウェブのジッパーのない部分によって互いに分離されている別個の係合ジッパープロフィル部分を設け、プロフィル部分の係合が互いに外された状態で第一キャリアウェブ及び第二キャリアウェブそれぞれを第一バッグ壁フィルムの上部及び第二バッグ壁フィルムの上部に取り付け、バッグに底ひだを形成し、キャリアウェブのジッパーのない部分において、第一バッグ壁フィルム及び第二バッグ壁フィルムと第一キャリアウェブ及び第二キャリアウェブをクロスシールし、クロスシール部を横断して切断してバッグを形成し、キャリアウェブのジッパーのない部分を係合ジッパー部分間に押すことによって側ひだを形成する。【選択図】図１
2006272975.tif 000002
【特許請求の範囲】
【請求項１】
再閉鎖可能なひだ付きバッグを形成する方法において、
第一キャリアウェブ及び第二キャリアウェブに前記キャリアウェブのジッパーのない部分によって互いに分離されている別個の係合ジッパープロフィル部分を設ける段階と、
前記プロフィル部分の係合が互いに外された状態で前記第一キャリアウェブ及び前記第二キャリアウェブそれぞれを前記第一バッグ壁フィルムの上部及び前記第二バッグ壁フィルムの上部に取り付ける段階と、
前記バッグに底ひだを形成する段階と、
前記キャリアウェブの前記ジッパーのない部分において、前記第一バッグ壁フィルム及び前記第二バッグ壁フィルムと、前記第一キャリアウェブ及び前記第二キャリアウェブをクロスシールする段階と、
前記クロスシール部を横断して切断してバッグを形成する段階と、
前記キャリアウェブのジッパーのない部分を前記係合ジッパー部分間に押すことによって側ひだを形成する段階とを備えた、再閉鎖可能なひだ付きバッグを形成する方法。
【請求項２】
前記第一キャリアウェブ及び前記第二キャリアウェブは前記第一バッグ壁フィルム及び前記第二バッグ壁フィルムの上縁部へ取り付けられている請求項１に記載の方法。
【請求項３】
前記第一バッグ壁フィルム及び前記第二バッグ壁フィルムは一片で形成されかつ長手方向に折り曲げられ、前記底ひだは前記長手方向折り曲げ部を反転させることによって形成される請求項１に記載の方法。
【請求項４】
前記第一バッグ壁フィルム及び前記第二バッグ壁フィルムは別個に形成されており、
前記第一バッグ壁フィルムの底部と前記第二バッグ壁フィルムの底部の間にバッグ底ウェブを取り付け、前記バッグ底ウェブを折り曲げて前記底ひだを形成する段階をさらに備えた請求項１に記載の方法。
【請求項５】
前記第一キャリアウェブ及び前記第二キャリアウェブには、連結された前記係合ジッパープロフィル部分が設けられており、
前記クロスシールを形成する前に前記プロフィル部分の係合を外す段階をさらに備えた請求項１に記載の方法。
【請求項６】
別個の窓が前記第一バッグ壁フィルム及び前記第二バッグ壁フィルム中に形成され、前記第一キャリアウェブ及び前記第二キャリアウェブは、前記第一バッグ壁フィルム及び前記第二バッグ壁フィルムに取り付けられ、前記キャリアウェブのジッパーのない部分が前記窓の上にある請求項１に記載の方法。
【請求項７】
剥離シールを前記係合ジッパー部分の下に設ける段階をさらに備えた請求項１に記載の方法。
【請求項８】
前記形成された再閉鎖可能なバッグが充填され、前記プロフィル部分が連結され、前記プロフィル部分の間に前記プロフィル部分のない部分を捕える請求項１に記載の方法。
【発明の詳細な説明】
【技術分野】
【０００１】
本発明は、バッグ側面及びバッグ底面にひだが付いている、再閉鎖可能な包装物を形成するための改良した方法に関する。完成したバッグは、バッグ形成工程に従って充填される、あるいは個々のバッグが充填される。
【背景技術】
【０００２】
同じ譲受人に譲渡された２０００年８月２５日付出願の主題「ひだ付きジッパーバッグ」の米国特許出願第０９／６４５８２８号には、ひだ壁がジッパーの係合プロフィル部分間に捕えられている、再閉鎖可能なひだ付き包装物が開示されている。ジッパープロフィル部分によって捕えられた壁部はバッグの主部分よりも薄く、ひだがプロフィル部分によって捕えられるのが容易となり、このようなバッグがバリヤフィルムにより一層適合する。
【発明の開示】
【発明が解決しようとする課題】
【０００３】
本発明の主な目的は、自身を容易に自動製造に適するように効率的にこのようなバッグを製造する改良した方法を提供することである。
【課題を解決するための手段】
【０００４】
上記及び他の目的及び利点は、第一キャリアウェブ及び第二キャリアウェブに別個の係合ジッパープロフィル部分を設けることによって得られる。ジッパープロフィル部分は、キャリアウェブ上にあり、キャリアウェブのジッパーのない部分によって互いに分離している。バッグ壁フィルムが一緒に運ばれる時、キャリアウェブはそれぞれ第一及び第二バッグ壁フィルムの上部に取り付けられる。バッグ壁フィルムは、別個のウェブ、又は長手方向に折り曲げられる一つのウェブとすることができる。キャリアウェブは、バッグ壁フィルムより薄いプラスチックフィルムで形成されている。第一及び第二バッグ壁フィルムと、第一及び第二キャリアウェブとはクロスシールされ、キャリアウェブはジッパーのない部分のウェブにおいてシールされ、組立体はクロスシール部を通して横断方向に切断され、バッグを形成する。バッグ壁の底部を反対に折り曲げることによって底ひだが形成される。もしバッグ壁を別個のフィルムで形成するならば、バッグ壁フィルムの底部を互いに単にシールすることによって、又は折り曲げられた底ウェブを両方のバッグ壁フィルムの底部にシールすることによってフィルムは接続されなければならない。側ひだは、開放したジッパー部分の間にキャリアウェブのジッパーのない部分とバッグ壁の端部分を圧入することによって形成される。必要に応じて、剥離シールをジッパープロフィル部分の下に設けることにより、バッグの内容物を密閉してシールすることができ、開封抵抗を提供する。
【０００５】
本発明の修正例において、側ひだに対応する位置でバッグ壁の上部においてバッグ壁フィルム中に窓が形成される。バッグフィルムの上縁部にキャリアウェブを配置するのではなく、キャリアウェブはバッグ壁フィルム上に位置決めされ、キャリアフィルムのプロフィル部分のない部分が窓を覆っている。
【発明を実施するための最良の形態】
【０００６】
特に図８などの添付図面を参照すると、再閉鎖可能なひだ付きジッパーバッグ１０が記載されている。バッグ１０は、前壁１２及び後壁１４と、ひだ付き側面１６、１８と、ひだ付き底部２０とを有する。ジッパーの係合プロフィル部分２２、２４それぞれは、前壁及び後壁の一端から他端まで延びている。ジッパープロフィル部分内で折り曲げられるひだ付き側壁１６、１８の部分は、バッグの残りの壁面と比べて比較的に薄い。これは、バッグの壁のフィルムよりも薄いキャリアウェブをバッグ壁に取り付けることによって実現される。キャリアウェブは、キャリアウェブのジッパーのない部分によって分離されたジッパープロフィル部分の別個の部分を有する。キャリアウェブのジッパーのない部分は、ひだの付いた側壁と整列されている。後者の場合では、窓がバッグ壁フィルムに形成され、露出したフィルムの全厚さを低減し、完成したバッグのプロフィル部分の間に捕えられる。バッグを閉鎖した時、バッグの側面のひだに取り付けられた薄いキャリアウェブのプロフィル部分のないウェブ部分が、係合したジッパープロフィル部分間で捕えられている。剥離シールは、バッグの中身を密閉シールする及び／又は包装物にタンパー防護を提供するのに役立つ。
【０００７】
図１では、再閉鎖可能なひだ付きバッグの製造ライン３０が記載されている。第一バッグフィルム３２及び第二バッグフィルム３４がそれらの各供給源３６、３８から長手方向に共に送られる。一対のキャリアウェブ４０、４２は、供給源４６からのバッグフィルム３２の上面とバッグフィルム３４の上面の間に供給される。図７に示すように、キャリアウェブ４０、４２の各々は、キャリアウェブのジッパーのない部分５０によって境界付けられたジッパープロフィル部分の別個の部分４８を有する。このようなキャリアウェブ及びこれらの製造方法が、ひだ付きバッグ用キャリアウェブジッパーの製造方法についての２０００年１０月４日付出願の同時係属出願第０９／６７８８９０号に開示されている。この点に関しては、キャリアウェブ４０の一つは雄プロフィル部分５２を担持し、他のキャリアウェブ４２は雌プロフィル部分５４を担持する。これらプロフィル部分はフランジ５６、５８をさらに有する。図７に示すように、キャリアウェブ４０、４２の一つ又は両方には、剥離シールが完成したバッグのプロフィル部分の下に形成されうるように剥離シールストリップ６０が設けられてもよい。
【０００８】
バッグフィルム３２、３４及びキャリアテープは、ローラ５９によって駆動されてセパレータ６２を通過し、シールバー６８、７０がキャリアウェブ４０、４２をバッグフィルム３２、３４の上縁部にシールするシール部署６６において、セパレータ６２は雄プロフィル部分５２と雌プロフィル部分５４とを分離し、プロフィル部分５２、５４に付随したキャリアウェブ４０、４２をアンビル６４の両側面に指向する。シール部署６６の各サイクル中において、プロフィル部分に当接している部分４８は、前半分と、遅れたキャリアウェブのプロフィル部分のない部分５０と共に、関連のバッグフィルムにシールされている。
【０００９】
図１に示すように、バッグフィルム３２、３４が分離しているならば、これらバッグフィルム３２、３４は直接的に一緒にシールされ、又は、底ひだストリップ７２は、バッグ３２の壁フィルムの底縁部とバッグ３４の壁フィルムの底縁部の間に導入される。ひだストリップ７２は、ガイド７４によってひだ内に形成され、シールバー７６がアンビル７８に対して作用することによってバッグ壁フィルム３２、３４の底部にシールされる。
【００１０】
この組立体は、横断シーム８４が形成される位置において、二つのクロスシーラー８０と８２の間に移動させられる。カッター８６により包装物８８を解放する。側ひだ９０は、バッグ側面を内側に折り曲げることによって形成される。開放したバッグが充填され、その後、プロフィル部分が閉鎖され、これらプロフィル部分の間でバッグの側ひだと整列されたキャリアウェブのプロフィル部のない領域を捕える。剥離シール２６が作用する。
【００１１】
前述の記載中で、キャリアウェブ４８、５０はバッグの壁の上部に取り付けられる。図６には、再閉鎖可能なひだ付き包装物を形成する方法の修正が開示されている。この方法では、バッグ壁材３２、３４の上部に隣接して、切り抜き窓９０が形成されている。接合されたプロフィル部分５２、５４のセグメント９２は、シール部署９６においてキャリアウェブ４０の一つへ取り付けられており、プロフィル部分５２はキャリアウェブ４０へシールされ、その一方で、プロフィル部分５４はプロフィル部分５２に連結される。キャリアウェブ４０と、取り付けられたジッパーセグメントは、バッグ壁フィルム３４に隣接して位置決めされ、キャリアテープのプロフィル部分のないセグメント９４は、窓９０の上に横たわっている。他のキャリアウェブ４２と、切り抜き窓を有する他のバッグフィルム３２は、第一バッグ壁フィルム３４と共にもたらされ、キャリアテープ４０はバッグ壁３４にシールされ、その一方で、キャリアテープ４２は、一側面でプロフィル部分５４及びキャリアテープ４０へシールされ、他側面でバッグ壁３２へシールされる。前述のように、バッグの製造は、側シーム８４がバッグの隣接する複数の窓の間のほぼ中間点を通って形成される。その結果、完成したバッグでは、プロフィル部分と整列する側ひだの部分はキャリアウェブのみで形成されているので、バッグを閉鎖した時には、キャリアウェブのみが完成したバッグのプロフィル部分間で捕えられる。
【００１２】
したがって、以上により、前述の目的が効果的に実現される。
【図面の簡単な説明】
【００１３】
【図１】本発明の第一の実施例を実施する製造ラインの斜視的な略図である。
【図２】図１の製造ラインの上面図である。
【図３】矢印によって示されている方向に図１の線３−３に沿って見た断面図である。
【図４】矢印によって示されている方向に図１の線４−４に沿って見た断面図である。
【図５】矢印によって示されている方向に図１の線５−５に沿って見た断面図である。
【図６】本発明の別の実施例を実施する製造ラインの斜視的な略図である。
【図７】矢印によって示されている方向に図６の線７−７に沿って見た断面図である。
【図８】再閉鎖可能なひだ付きバッグの斜視図である。
【図９】矢印によって示されている方向に図８の線９−９に沿って見た断面図である。
【符号の説明】
【００１４】
１０    再閉鎖可能なひだ付きバッグ
１６    側ひだ
２０    底部
２２    係合ジッパープロフィル部分
２４    係合ジッパープロフィル部分
３２    第一バッグ壁フィルム
３４    第二バッグ壁フィルム
４０    第一キャリアウェブ
４２    第二キャリアウェブ
５０    ジッパーのない部分
８０    クロスシール
８２    クロスシール
【図１】
2006272975.tif 000003
【図２】
2006272975.tif 000004
【図３】
2006272975.tif 000005
【図４】
2006272975.tif 000006
【図５】
2006272975.tif 000007
【図６】
2006272975.tif 000008
【図７】
2006272975.tif 000009
【図８】
2006272975.tif 000010
【図９】
2006272975.tif 000011